(57)【要約】【課題】回線接続の機能を有する装置において複数の機能ユニットの高密度実装を維持したまま、パターン配線回りでの障害発生時に重要回線を優先的に救済する。【解決手段】冗長構成の機能ユニットがバス構成のパターン配線にマルチ接続された、回線接続機能を有する高密度実装装置において、各パターン配線の状態を監視する監視ステップと、前記監視ステップにおいて異常を検知した場合に重要回線を優先的に接続するように正常なパターン配線を用いて前記バス構成を再構築する再構築ステップと、を含むことを特徴とする。【選択図】図１
2014241082.tif 000002
【特許請求の範囲】
【請求項１】
冗長構成の機能ユニットがバス構成のパターン配線にマルチ接続された、回線接続機能を有する高密度実装装置において、
各パターン配線の状態を監視する監視ステップと、
前記監視ステップにおいて異常を検知した場合に重要回線を優先的に接続するように正常なパターン配線を用いて前記バス構成を再構築する再構築ステップと、
を含むことを特徴とする重要回線の救済方法。
【請求項２】
前記監視ステップにおいて、接続元の機能ユニットから各パターン配線を介して接続先の機能ユニットに監視信号を送り、接続先の機能ユニットにて該監視信号を正常に受信できたか否かにより、各パターン配線の異常の有無を検知することを特徴とする請求項１に記載の重要回線の救済方法。
【請求項３】
前記監視ステップにおいて、前記接続元の機能ユニット及び前記接続先の機能ユニットにおいて前記パターン配線の直近に設けられた夫々のバッファを前記監視信号が通過するようにして前記バッファの異常を含めて各パターン配線の異常の有無を検知することを特徴とする請求項２に記載の重要回線の救済方法。
【請求項４】
前記監視ステップにおいて、接続元の機能ユニット及び接続先の機能ユニットにおいて前記パターン配線の直近に設けられた夫々のバッファの状態を監視し、異常を検知した場合には、前記再構築ステップにおいて異常なバッファを除外して前記バス構成を再構築することを特徴とする請求項１〜３のいずれか１項に記載の重要回線の救済方法。
【請求項５】
前記再構築ステップにおいて、予め登録された回線の重要度の情報と前記監視ステップにより得られた正常なパターン配線の情報に基づいて重要度のより高い回線をより優先的に接続するように前記機能ユニットにおける回線設定を変更することを特徴とする請求項１〜４のいずれか１項に記載の重要回線の救済方法。
【請求項６】
前記監視ステップにおいて異常を検知した場合に前記機能ユニットの冗長構成をなす現用系と予備系との切り替えを行う前に、重要回線を優先的に接続するように正常なパターン配線を用いて前記バス構成を再構築できるか否かを判定し、再構成可能との判定結果が得られたときに前記再構築ステップを実行することを特徴とする請求項１〜５のいずれか１項に記載の重要回線の救済方法。
【請求項７】
前記バス構成のパターン配線をグループ分けしておき、前記監視ステップにおいてパターン配線又は該パターン配線の直近のバッファに異常を検出すると、前記再構築ステップにおいて該パターン配線が属するグループ単位で前記バス構成から除外することを特徴とする請求項１〜６のいずれか１項に記載の重要回線の救済方法。
【請求項８】
前記機能ユニットとしてインタフェースユニット又はクロスコネクトユニットが用いられることを特徴とする請求項１〜７のいずれか１項に記載の重要回線の救済方法。
【請求項９】
冗長構成の機能ユニットがバス構成のパターン配線にマルチ接続された、回線接続機能を有する高密度実装装置であって、
各パターン配線の状態を監視し、異常を検知した場合に重要回線を優先的に接続するように正常なパターン配線を用いて前記バス構成を再構築する手段
を含むことを特徴とする高密度実装装置。
【請求項１０】
冗長構成の機能ユニットがバス構成のパターン配線にマルチ接続された、回線接続機能を有する高密度実装装置において重要回線を救済するシステムとしてコンピュータを機能させるプログラムであって、
前記コンピュータに、
各パターン配線の状態を監視する監視機能と、
前記監視機能により異常を検知した場合に重要回線を優先的に接続するように正常なパターン配線を用いて前記バス構成を再構築させる再構築機能と、
を実現させることを特徴とするプログラム。
【発明の詳細な説明】
【技術分野】
【０００１】
本発明は、高密度実装を実現するパターン配線における重要回線の救済方法、その救済方法を実行可能な手段を備えた高密度実装装置、及びその救済方法を実行するためのプログラムに関する。
【背景技術】
【０００２】
図７及び図８を参照して関連技術を説明する。
【０００３】
図７は、現用系及び予備系の接続元のインタフェース（以下「ＩＦ」と記す）部７１０、７２０と、現用系及び予備系の接続先ＩＦ部７３０、７４０と、現用系及び予備系のクロスコネクト（以下「ＸＣ」と記す）部７５０、７６０とを備える冗長構成の伝送装置７００を示す。ＸＣ部７５０、７６０はクロスコネクト機能を有し、接続元ＩＦ部７１０、７２０と接続先ＩＦ部７３０、７４０との間で回線接続を行う。図７に示すように、現用回線と予備回線を各々別のパターン配線で接続を行うことが実現方法として望ましいが、接続元と接続先に対する装置内のパターン配線が、接続元および接続先で２倍の端子数とパターン配線数となる。よって、多くのＩＦ部を高密度で実装する場合、図７の方法では実現が困難である。
【０００４】
図８は、図７の構成を簡略化し、高密度実装を実現するために配線数を抑え、図７と同等の回線接続機能を実現する方式である。図８に示す構成では、接続元と接続先をパターン配線で接続すると共に、冗長構成のＩＦ部８２０、８４０も同じパターン配線でマルチ接続する。このマルチ接続では、１つのパターン配線を複数のＩＦ部が共有して使用することで回線信号を伝送し、図８の構成と同様の機能を実現し、パターン配線数と端子数を抑え、高密度実装を可能としている。
【０００５】
また、関連技術として、特許文献１に示されるような現用系と予備系の二系統を異常時にその都度切り替えて現用回線を救済する方法がある。この関連技術では、異常時に現用系を救済するために、現用系とまったく同じ構成の予備系を構成しておく。また、特許文献２及び特許文献３に示されるような異常検出時に予め用意しておいた別の線路部へ切り替えて現用回線を救済する方法がある。この関連技術は、複数の現用系を１つの予備系で救済する方法で、一番目に異常となった現用系だけは救済することが可能な方法である。
【０００６】
なお、本明細書では、ＩＦ部やＸＣ部など特定の機能を有する構成要素を「機能ユニット」と称する。
【先行技術文献】
【特許文献】
【０００７】
【特許文献１】特開平０４−２３３０３９号公報
【特許文献２】特開昭６３−３１１４４４号公報
【特許文献３】特開２００４−３４９８９０号公報
【発明の概要】
【発明が解決しようとする課題】
【０００８】
図８に記載の方式には、次のような課題がある。
【０００９】
第１の問題点は、マルチ接続を構成しているパターン配線やＩＦ部およびＸＣ部の入出力バッファで故障等の異常が発生した場合、マルチ接続している全ての回線が影響を受けることである。
【００１０】
その理由は、各ＩＦ部が１つのパターン配線を共有して使用することで、回線信号を伝送しているからである。このため、どこか一箇所以上でパターン配線またはバッファに異常が発生すると、マルチ接続している全てのＩＦ部が影響を受け、全ての回線信号が異常となる。
【００１１】
第２の問題点は、マルチ接続で伝送している回線の中には、非常に重要な回線接続も含まれているが、重要回線や一般回線に関わらず、マルチ接続を構成しているパターン配線やバッファでの故障等の異常が発生した場合、マルチ接続している全ての回線が影響を受けることである。
【００１２】
本発明の目的は、回線接続の機能を有する装置において複数の機能ユニットの高密度実装を維持したまま、パターン配線回りでの障害発生時に重要回線を優先的に救済する方法、装置及びプログラムを提供することである。
【課題を解決するための手段】
【００１３】
本発明による重要回線の救済方法は、冗長構成の機能ユニットがバス構成のパターン配線にマルチ接続された、回線接続機能を有する高密度実装装置において、各パターン配線の状態を監視する監視ステップと、前記監視ステップにおいて異常を検知した場合に重要回線を優先的に接続するように正常なパターン配線を用いて前記バス構成を再構築する再構築ステップと、を含むことを特徴とする。
【００１４】
本発明による高密度実装装置は、冗長構成の機能ユニットがバス構成のパターン配線にマルチ接続された、回線接続機能を有する高密度実装装置であって、各パターン配線の状態を監視し、異常を検知した場合に重要回線を優先的に接続するように正常なパターン配線を用いて前記バス構成を再構築する監視再構築手段を含むことを特徴とする。
【００１５】
本発明によるプログラムは、冗長構成の機能ユニットがバス構成のパターン配線にマルチ接続された、回線接続機能を有する高密度実装装置において重要回線を救済するシステムとしてコンピュータを機能させるプログラムであって、前記コンピュータに、各パターン配線の状態を監視する監視機能と、前記監視機能により異常を検知した場合に重要回線を優先的に接続するように正常なパターン配線を用いて前記バス構成を再構築させる再構築機能と、を実現させることを特徴とする。
【発明の効果】
【００１６】
本発明によると、回線接続の機能を有する装置において複数の機能ユニットの高密度実装を維持したまま、パターン配線回りでの障害発生時に重要回線を優先的に救済することができる。
【図面の簡単な説明】
【００１７】
【図１】本発明の第１の実施形態の全体構成を示す。
【図２】図１における接続元ＩＦ部とＸＣ部間の内部構成を示す。
【図３】図１におけるＸＣ部と接続先ＩＦ部間の内部構成を示す。
【図４】本発明の第２の実施形態の全体構成を示す。
【図５】図４における接続元ＩＦ部とＸＣ部間の内部構成の一部を示す。
【図６】図４におけるＸＣ部と接続先ＩＦ部間の内部構成の一部を示す。
【図７】関連技術において回線接続機能を有する冗長構成例を示す。
【図８】図７の構成と同等の機能を有すると共に高密度実装を実現できる冗長構成例を示す。
【発明を実施するための形態】
【００１８】
［第１の実施形態］
次に、本発明の第１の実施形態について図１、図２及び図３を参照して詳細に説明する。
【００１９】
［構成の説明］
図１は、本発明の第１の実施形態の装置構成１００を示し、高密度実装を実現するマルチ接続構成を有する。接続元ＩＦ部（現用）１１０及び接続元ＩＦ部（予備）１２０と、接続先ＩＦ部（現用）１３０及び接続先ＩＦ部（予備）１４０と、ＸＣ部（現用）１５０及びＸＣ部（予備）１６０と、監視制御部（現用）１７０及び監視制御部（予備）１８０とを備える。接続元ＩＦ部（現用）１１０と接続元ＩＦ部（予備）１２０とがグループ１を構成し、接続先ＩＦ部（現用）１３０と接続先ＩＦ部（予備）１４０とがグループ２を構成している。グループ１は回線の接続元であり、グループ２は回線の接続先である。各ＩＦ部の回線を任意に接続可能なＸＣ部１５０、１６０をグループ１とグループ２の間に設ける。グループ１の各ＩＦ部とＸＣ部とをバス配線（ｓ１−１〜ｓ１−８）にてマルチ接続する。また、グループ２の各ＩＦ部とＸＣ部１５０、１６０とをバス配線（ｓ２−１〜ｓ２−８）にてマルチ接続する。バス配線の本数は８本としているが、本数は任意に設定できる。図１の構成では、接続元の回線が接続先の回線にＸＣ部を介して接続される。
【００２０】
現用及び予備の監視制御部１７０、１８０は、グループ１及びグループ２の各ＩＦ部の回線情報の登録・設定・変更やＸＣ部の回線接続の情報の登録・設定・変更を行う機能を有する。また、グループ１及びグループ２の各ＩＦ部やＸＣ部の故障等の異常情報を収集し装置状態を監視する機能を有する。
【００２１】
図１において、高密度実装の装置において接続元のＩＦ部１１０および接続先のＩＦ部１３０の回線には重要回線が含まれ得、重要回線なのか一般回線なのかを識別するために、回線登録時に識別情報を登録しておく。例えば、取り扱う回線毎に重要度を設定してもよい。
【００２２】
バス配線のパターン配線や各ＩＦ部内のバス信号の配線に隣接したバッファが正常な状態では、上記の構成のまま回線信号を伝送する。
【００２３】
次に、図１の構成の一部を詳細に示した図２及び図３を参照して説明する。
【００２４】
図２は、接続元であるＩＦ部１１０からＸＣ部１５０へ回線がバス接続される構成を示す。ＩＦ部１１０は、回線設定部２１０と、監視信号挿入部２２１〜２２８と、バッファ２３１〜２３８とを備える。ＸＣ部１５０は、バッファ２５１〜２５８と、監視信号検出部２６１〜２６８と、クロスコネクト設定部２４０と、バス故障判定部２７０とを備える。監視制御部１７０は、重要回線登録部２８０と判定部２９０とを備える。接続元であるＩＦ部１１０とＸＣ部１５０とをマルチ接続するバス配線ｓ１−１〜ｓ１−８は、パターン配線で構成できる。
【００２５】
監視制御部１７０は、事前登録として、ＩＦ部１１０の回線設定部２１０へ回線登録を行う際に、その回線が重要回線か一般回線かの識別情報を重要回線登録部２８０に登録する機能を有する。    
【００２６】
監視信号挿入部２２１〜２２８と監視信号検出部２６１〜２６８とは、パターン配線ｓ１−１〜ｓ１−８またはバッファ２３１〜２３８および２５１〜２５８で異常が発生した場合に、その異常を検出する機能を有する。
【００２７】
バス故障判定部２７０は、監視信号検出部２６１〜２６８の検出結果を収集し、バス配線ｓ１〜ｓｎの中からどの配線が異常かを判定する機能を有する。
【００２８】
検出結果を通知された監視制御部１７０内の判定部２９０は、バス配線ｓ１−１〜ｓ１−８の内、異常を検出したパターン配線を除いたパターン配線によるバス接続の再構成の可能性を判定する機能を有する。
【００２９】
監視制御部１７０は、判定部２９０の判定結果によりＩＦ部１１０内の回線設定部２１０とＸＣ部１５０内のクロスコネクト設定部２４０へ異常を検出した配線を除いた配線でのバス構成で回線接続を行う設定変更を指示する機能を有する。正常なバス配線のみでのバス接続とする際、重要回線として登録された回線を優先して復旧する。
【００３０】
図３は、ＸＣ部１５０から接続先であるＩＦ部１３０へ回線がバス接続される構成を示す。ＸＣ部１５０は、クロスコネクト設定部２４０と、監視信号挿入部３２１〜３２８と、バッファ３３１〜３３８とを備える。ＩＦ部１３０は、バッファ３５１〜３５８と、監視信号検出部３６１〜３６８と、回線設定部３４０と、バス故障判定部３７０とを備える。監視制御部１７０は、重要回線登録部２８０と判定部２９０とを備える。接続元であるＸＣ部１５０とＩＦ部１３０とをマルチ接続するバス配線ｓ２−１〜ｓ２−８は、パターン配線で構成できる。
【００３１】
監視制御部１７０は、事前登録としてＩＦ部１３０の回線設定部３４０へ回線登録を行う際に、その回線が重要回線か一般回線かの識別情報を重要回線登録部２８０に登録する機能を有する。    
【００３２】
監視信号挿入部３２１〜３２８と監視信号検出部３６１〜３６８とは、パターン配線ｓ２−１〜ｓ２−８またはバッファ３３１〜３３８および３５１〜３５８で異常が発生した場合に、その異常を検出する機能を有する。
【００３３】
バス故障判定部３７０は、監視信号検出部３６１〜３６８の検出結果を収集し、バス配線ｓ１〜ｓｎの中からどのバス配線が異常かを判定する機能を有する。
【００３４】
検出結果を通知された監視制御部１７０内の判定部２９０は、バス信号ｓ２−１〜ｓ２−８の内、異常を検出したパターン配線を除いたパターン配線によるバス接続の再構成の可能性を判定する機能を有する。
【００３５】
監視制御部１７０は、判定部２９０の判定結果によりＩＦ部１３０内の回線設定部３４０とＸＣ部１５０内のクロスコネクト設定部２４０へ異常を検出した配線を除いた配線でのバス構成で回線接続を行う設定変更を指示する機能を有する。正常なバス配線のみでのバス接続とする際、重要回線として登録された回線を優先して復旧する。
【００３６】
［動作の説明］
次に、本発明の第１の実施態様における動作について図２および図３を参照して説明する。
【００３７】
図２において、ＩＦ部１１０で収容する回線について、監視制御部１７０からの設定により、ＩＦ部１１０の回線設定部２１０へ回線登録を行う。この回線登録時に、登録回線が重要回線か一般回線かの識別情報の登録を行い、監視制御部１７０内の重要回線登録部２８０に設定を保持する。
【００３８】
図３において、図２と同様に、ＩＦ部１３０で収容する回線について、監視制御部１７０からの設定により、ＩＦ部１３０の回線設定部３４０へ回線登録を行う。この回線登録時に、登録回線が重要回線か一般回線かの識別情報の登録を行い、監視制御部１７０内の重要回線登録部２８０に設定を保持する。この識別情報は回線設定部２１０と重要回線登録部２８０の両方に登録してもよいし、どちらか一方に登録してもよい。
【００３９】
図２のＩＦ部１１０で登録された回線と図３のＩＦ部１３０で登録された回線を監視制御部１７０からの設定により、ＸＣ部１５０にて回線接続を行い、回線情報の伝送を可能とする。
【００４０】
図２において、接続元のＩＦ部１１０のパターン配線（Ｓ１−１〜Ｓ１−８）に隣接しているバッファ２３１〜２３８の直近にて、監視信号挿入部２２１〜２２８からパターン配線の正常性およびバッファの正常性を確認するための監視信号を挿入する。
【００４１】
パターン配線（Ｓ１−１〜Ｓ１−８）が接続されたＸＣ部１５０では、パターン配線（Ｓ１−１〜Ｓ１−８）に隣接しているバッファ２５１〜２５８の直近にて、監視信号検出部２６１〜２６８により、パターン配線およびバッファの正常性を確認する為の監視信号を受信して正常性を判定する。８本のバス配線を常時監視し、パターン配線およびバッファに問題がなければ、８本のバス配線をそのまま使用したマルチ接続で回線の信号が送受される。
【００４２】
パターン配線およびバッファに問題が発生した場合、監視信号検出部２６１〜２６８で異常を検出する。監視信号検出部２６１〜２６８の検出結果を基に、バス故障判定部２７０にて、バス故障の発生と故障部位を判定し、監視制御部１７０へ通知する。また、上記監視信号による監視の代わりに、或いはそれに加えて、各バッファの状態を個別に監視し、異常を検出するようにしてもよい。
【００４３】
監視制御部１７０内の判定部２９０では、バス配線の中で異常を検出した故障配線を特定し、その故障配線以外でバス配線を接続するように、ＩＦ部１１０−ＸＣ部１５０間のバス配線の変更の可能性を判定する。
【００４４】
判定部２９０の結果を基に監視制御部１７０は、判定結果と重要回線登録部２８０の登録情報から重要回線の回線接続を優先的に故障配線以外のバス配線で接続する設定に変更する。設定変更の指示を受けたＩＦ部１１０の回線設定部２１０とＸＣ部１５０のクロスコネクト設定部２４０は、重要回線を優先的に故障配線以外のバス配線で伝送する構成に変更する。
【００４５】
図３において、ＸＣ部１５０のパターン配線（Ｓ２−１〜Ｓ２−８）に隣接しているバッファ３３１〜３３８の直近にて、監視信号挿入部３２１〜３２８からパターン配線の正常性およびバッファの正常性を確認するための監視信号を挿入する。
【００４６】
パターン配線（Ｓ２−１〜Ｓ２−８）の接続先のＩＦ部１３０では、パターン配線（Ｓ２−１〜Ｓ２−８）に隣接しているバッファ３５１〜３５８の直近にて、監視信号検出部３６１〜３６８により、パターン配線およびバッファの正常性を確認する為の監視信号を受信して正常性を判定する。８本のバス配線を常時監視し、パターン配線およびバッファに問題がなければ、８本のバス配線をそのまま使用したマルチ接続で回線の信号が送受される。
【００４７】
パターン配線およびバッファに問題が発生した場合、監視信号検出部３６１〜３６８で異常を検出する。監視信号検出部３６１〜３６８の検出結果を基に、バス故障判定部３７０にて、バス故障の発生と故障部位を判定し、監視制御部１７０へ通知する。
【００４８】
監視制御部１７０内の判定部２９０では、バス配線の中で異常を検出した故障配線を特定し、その故障配線以外でバス配線を接続するように、ＸＣ部１５０−ＩＦ部１３０間のバス配線の変更の可能性を判定する。
【００４９】
判定部２９０の結果を基に監視制御部１７０は、判定結果と重要回線登録部２８０の登録情報から重要回線を優先的に故障配線以外のバス配線で構成されたバス配線に接続する設定変更を行う。設定変更の指示を受けたＸＣ部１５０のクロスコネクト設定部２４０とＩＦ部１３０の回線設定部３４０は、使用するバス配線の構成を変更する。
【００５０】
図２と図３においてバス配線構成の変更が完了すると、重要回線から優先的に回線接続が回復する。
【００５１】
仮に、図３において、８本のバス配線信号（Ｓ２−１〜Ｓ２−８）の内、バス信号（Ｓ２−７）で異常が検出された場合、残りの７本のバス配線（Ｓ２−１〜Ｓ２−６とＳ２−８）でのマルチ接続を再構成することの可能性の判定を行う。監視制御部１７０は、重要回線から優先的に回線登録情報を変更するため、バス配線構成を８本から７本への変更指示を各ＩＦ部の回線設定部３４０とＸＣ部のクロスコネクト設定部２４０へ行うことで重要回線を優先的に救済できる。
【００５２】
（変形例）
図２と図３において、例えば、８本のバス配線の構成を、予め、グループ１（Ｓ１−１〜Ｓ１−４）、グループ２（Ｓ１−５〜Ｓ１−８）、グループ３（Ｓ２−１〜Ｓ２−４）、グループ４（Ｓ２−５〜Ｓ２−８）のようにグループ化して管理することも可能である。仮に、バス信号（Ｓ２−７）で異常が検出された場合、バス故障判定部３７０が、グループ４で異常を検出したと判断し、監視制御部１７０に通知する。通知を受けた監視制御部１７０は、ＩＦ部１１０の回線設定部２１０、ＩＦ部１３０の回線設定部３４０およびＸＣ部１５０のクロスコネクト設定部２４０に対して、グループ１およびグループ３のバス配線を指定してバス配線の変更を指示し、それらに回線設定変更を実行させる。このようにして、何れかのバス配線にて異常を検出した場合の回線設定変更処理を軽減することが可能である。上記説明のグループ化の場合、正常時の半分の伝送容量を確保できることになる。尚、本変形例は一例であり、どのようにグループ化するかは適宜設定できる。
【００５３】
[発明の実施形態における効果]
本発明の上記実施形態においては、以下に記載するような効果がある。
第１の効果は、従来からの高密度実装を維持することができることである。その理由は、上記実施形態では、パターン配線数および端子数を増やす必要が無く、従来の高密度実装が実現できるからである。
【００５４】
第２の効果は、従来の方式では、パターン配線または直近バッファの異常でマルチ接続している全回線が異常となってしまうが、本発明の実施形態では、正常なパターン配線のみでバス構成を再構築することにより、重要な回線を優先的に復旧することができ、迂回回線の構築等の代替手段を必要とせず、重要回線を優先的に救済することが可能である。
【００５５】
［第２の実施形態］
次に、本発明の第２の実施形態について図４、図５及び図６を参照して詳細に説明する。
【００５６】
［構成の説明］
図４を参照して説明する。図４には、本発明の第２の実施形態として、高密度実装を実現し得るマルチ接続構成を有する装置構成が示されている。
【００５７】
第１の実施形態との違いは、図４において、情報を伝送する回線を有する複数個（ｎ個）の接続元ＩＦ部（１）４１０〜ＩＦ部（ｎ）４３０が、回線の接続元グループ１として示され、複数個（ｎ個）の接続先ＩＦ部（１）４４０〜ＩＦ部（ｎ）４６０が回線の接続先グループ２として示されている点である。各ＩＦ部の回線を任意に接続可能なＸＣ部が、グループ１とグループ２の間に設けられている。グループ１の各ＩＦ部とＸＣ部をバス配線のマルチ接続で構成する。また、グループ２の各ＩＦ部とＸＣ部をバス配線のマルチ接続で構成する。
【００５８】
監視制御部４８０は、グループ１及びグループ２の各ＩＦ部の回線情報の登録・設定・変更やＸＣ部の回線接続の情報の設定・変更を行う機能を有する。また、グループ１及びグループ２の各ＩＦやＸＣ部の故障等の異常情報を収集し装置状態を監視する機能を有する。
【００５９】
次に、図４を簡略化して内部構成の一部を示した図５及び図６を参照して説明する。
【００６０】
図５は、接続元であるＩＦ部（１）４１０からＸＣ部４７０へ回線がマルチ接続される構成を示す（現用のＩＦ部４１２について示し、予備のＩＦ部４１４については図示を省略）。ＩＦ部４１０は、回線設定部５１０と、監視信号挿入部５２０〜５２４と、バッファ５３０〜５３４とを備える。ＸＣ部４７０は、バッファ５５０〜５５４と、監視信号検出５６０〜５６４と、クロスコネクト設定部５４０と、バス故障判定部５７０とを備える。監視制御部４８０は、重要回線登録部５８０と判定部５９０とを備える。
【００６１】
図６は、ＸＣ部４７０から接続先であるＩＦ部４４０へ回線がマルチ接続される構成を示す（現用のＩＦ部４４２について示し、予備のＩＦ部４４４については図示を省略）。ＸＣ部４７０は、クロスコネクト設定部５４０と、監視信号挿入部６２０〜６２４と、バッファ６３０〜６３４とを備える。ＩＦ部４４０は、バッファ６５０〜６５４と、監視信号検出部６６０〜６６４と、回線設定部６４０と、バス故障判定部６７０とを備える。監視制御部４８０は、重要回線登録部５８０と判定部５９０とを備える。
【００６２】
［動作の説明］
次に、本発明の第２の実施形態における動作について図５および図６を参照して説明する。
【００６３】
図５において、ＩＦ部４１０で収容する回線について、監視制御部４８０からの設定により、ＩＦ部４１０の回線設定部５１０へ回線登録を行う。この回線登録時に、登録回線が重要回線か一般回線かの識別情報の登録を行い、監視制御部４８０内の重要回線登録部５８０に設定を保持する。この識別情報は回線設定部５１０と重要回線登録部５８０の両方に登録してもよいし、どちらか一方に登録してもよい。
【００６４】
図６において、図５と同様に、ＩＦ部４４０で収容する回線について、監視制御部４８０からの設定により、ＩＦ部４４０の回線設定部６４０へ回線登録を行う。この回線登録時に、登録回線が重要回線か一般回線かの識別情報の登録を行い、監視制御部４８０内の重要回線登録部５８０に設定を保持する。この識別情報は回線設定部６４０と重要回線登録部５８０の両方に登録してもよいし、どちらか一方に登録してもよい。
【００６５】
図５のＩＦ部４１０の回線設定部５１０で登録された回線と図６のＩＦ部４４０の回線設定部６４０で登録された回線を監視制御部４８０からの設定により、ＸＣ部４７０にて回線接続を行い、信号の伝送を可能とする。
【００６６】
図５において、接続元のＩＦ部４１０のパターン配線ｓ１〜ｓｎに隣接しているバッファ５３０〜５３４の直近にて、監視信号挿入部５２０〜５２４からパターン配線の正常性およびバッファの正常性を確認するための監視信号を挿入する。
【００６７】
パターン配線ｓ１〜ｓｎが接続されたＸＣ部４７０のパターン配線ｓ１〜ｓｎに隣接しているバッファ５５０〜５５４の直近にて、監視信号検出部５６０〜５６４により、パターン配線およびバッファの正常性を確認する為の監視信号を受信して正常性を判定する。Ｓ１〜Ｓｎのバス信号を常時監視し、パターン配線およびバッファに異常がなければ、Ｓ１〜Ｓｎのバス信号を使用したマルチ接続で信号が送受される。
【００６８】
パターン配線およびバッファに問題が発生した場合、監視信号検出部５６０〜５６４で異常を検出する。監視信号検出部５６０〜５６４の検出結果をバス故障判定部５７０で、バス故障の発生と故障部位を判定し、監視制御部４８０へ通知する。
【００６９】
監視制御部４８０内の判定部５９０では、バス配線の中で異常を検出した配線を特定し、その配線以外でバス構成を再構成するように、ＩＦ部４１０−ＸＣ部４７０間のバス配線を変更することの可能性の判定を行う。
【００７０】
判定部５９０の結果を基に監視制御部４８０は、判定結果と重要回線登録部５８０の登録情報から重要回線の回線接続のみを再構成されたバス配線で接続する設定に変更する。設定変更の指示を受けたＩＦ部４１０の回線設定部５１０とＸＣ部４７０クロスコネクト設定部５４０は、使用するバス配線の構成を変更する。
【００７１】
図６において、ＸＣ部４７０のパターン配線ｓ１〜ｓｎに隣接しているバッファ６３０〜６３４の直近にて、監視信号挿入部６２０〜６２４からパターン配線の正常性およびバッファの正常性を確認するための監視信号を挿入する。
【００７２】
パターン配線ｓ１〜ｓｎの接続先のＩＦ部４４０のパターン配線ｓ１〜ｓｎに隣接しているバッファ６５０〜６５４の直近にて、監視信号検出部６６０〜６６４により、パターン配線およびバッファの正常性を確認する為の監視信号を受信して正常性を判定する。Ｓ１〜Ｓｎのバス配線を常時監視し、パターン配線およびバッファに問題がなければ、Ｓ１〜Ｓｎのバス配線を使用したマルチ接続で信号が送受される。
【００７３】
パターン配線およびバッファに問題が発生した場合、監視信号検出部６６０〜６６４で異常を検出する。監視信号検出部６６０〜６６４の検出結果をバス故障判定部６７０で、バス故障の発生と故障部位を判定し、監視制御部４８０へ通知する。
【００７４】
監視制御部４８０内の判定部５９０では、バス配線の中で異常を検出した配線を特定し、その配線以外でバス構成を再構成するように、ＸＣ部４７０−ＩＦ部４４０間のバス配線を変更することの可能性の判定を行う。
【００７５】
判定部５９０の結果を基に監視制御部４８０は、判定結果と重要回線登録部５８０の登録情報から重要回線の回線接続のみを再構成されたバス配線で接続する設定に変更する。設定変更の指示を受けたＸＣ部４７０のクロスコネクト設定部５４０とＩＦ部４４０の回線設定部６４０は、使用するバス配線の構成を変更する。
【００７６】
図５と図６においてバス配線構成の変更が完了すると、重要回線の回線接続は回復する。
【００７７】
以上述べたように、本発明の実施形態によると、回線接続の機能を有する伝送装置等で、高密度実装を実現するために、バス構成のパターン配線をマルチ接続することにより、パターン配線を抑えた方式において、バス構成のパターン配線やパターン配線と接続されるＩＦ部内のバッファの異常により、冗長切り替えにおいても障害が救済出来ない場合で、かつ、マルチ接続のバス構成のパターン配線やパターン配線と接続されるＩＦ部内のバッファに異常があった場合、その異常箇所を除き、正常なパターン配線のみでバスを構成することにより、重要回線を優先的に救済できる。
【００７８】
なお、上記の伝送装置などの高密度実装装置の全部又は一部は、ハードウェア、ソフトウェア又はこれらの組合せにより実現することができる。また、上記の高密度実装装置において行なわれる重要回線の救済方法も、ハードウェア、ソフトウェア又はこれらに組合せにより実現することができる。ここで、ソフトウェアによって実現されるとは、コンピュータがプログラムを読み込んで実行することにより実現されることを意味する。
【００７９】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８０】
上記の実施形態の一部又は全部は、以下の付記のようにも記載されうるが、以下には限られない。
【００８１】
（付記１）
冗長構成の機能ユニットがバス構成のパターン配線にマルチ接続された、回線接続機能を有する高密度実装装置において、
各パターン配線の状態を監視する監視ステップと、
前記監視ステップにおいて異常を検知した場合に重要回線を優先的に接続するように正常なパターン配線を用いて前記バス構成を再構築する再構築ステップと、
を含むことを特徴とする重要回線の救済方法。
【００８２】
（付記２）
前記監視ステップにおいて、接続元の機能ユニットから各パターン配線を介して接続先の機能ユニットに監視信号を送り、接続先の機能ユニットにて該監視信号を正常に受信できたか否かにより、各パターン配線の異常の有無を検知することを特徴とする付記１に記載の重要回線の救済方法。
【００８３】
（付記３）
前記監視ステップにおいて、前記接続元の機能ユニット及び前記接続先の機能ユニットにおいて前記パターン配線の直近に設けられた夫々のバッファを前記監視信号が通過するようにして前記バッファの異常を含めて各パターン配線の異常の有無を検知することを特徴とする付記２に記載の重要回線の救済方法。
【００８４】
（付記４）
前記監視ステップにおいて、接続元の機能ユニット及び接続先の機能ユニットにおいて前記パターン配線の直近に設けられた夫々のバッファの状態を監視し、異常を検知した場合には、前記再構築ステップにおいて異常なバッファを除外して前記バス構成を再構築することを特徴とする付記１〜３のいずれか１に記載の重要回線の救済方法。
【００８５】
（付記５）
前記再構築ステップにおいて、予め登録された回線の重要度の情報と前記監視ステップにより得られた正常なパターン配線の情報に基づいて重要度のより高い回線をより優先的に接続するように前記機能ユニットにおける回線設定を変更することを特徴とする付記１〜４のいずれか１に記載の重要回線の救済方法。
【００８６】
（付記６）
前記監視ステップにおいて異常を検知した場合に前記機能ユニットの冗長構成をなす現用系と予備系との切り替えを行う前に、重要回線を優先的に接続するように正常なパターン配線を用いて前記バス構成を再構築できるか否かを判定し、再構成可能との判定結果が得られたときに前記再構築ステップを実行することを特徴とする付記１〜５のいずれか１に記載の重要回線の救済方法。
【００８７】
（付記７）
前記バス構成のパターン配線をグループ分けしておき、前記監視ステップにおいてパターン配線又は該パターン配線の直近のバッファに異常を検出すると、前記再構築ステップにおいて該パターン配線が属するグループ単位で前記バス構成から除外することを特徴とする付記１〜６のいずれか１に記載の重要回線の救済方法。
【００８８】
（付記８）
前記機能ユニットとしてインタフェースユニット又はクロスコネクトユニットが用いられることを特徴とする付記１〜７のいずれか１に記載の重要回線の救済方法。
【００８９】
（付記９）
前記高密度実装装置が第１のインタフェースユニット、第２のインタフェースユニット及びクロスコネクタユニットを前記機能ユニットとして備え、前記第１のインタフェースユニットと前記クロスコネクトユニット間、及び前記クロスコネクトユニットと前記第２のインタフェースユニット間がそれぞれ前記バス構成のパターン配線により接続されることを特徴とする付記１〜８のいずれか１に記載の重要回線の救済方法。
【００９０】
（付記１０）
前記高密度実装装置は、各々が冗長構成を有する複数の機能ユニットのグループがバス構成のパターン配線にマルチ接続されており、前記監視ステップと前記再構築ステップによりグループ内すべての回線が使用不可になることを回避することを特徴とする付記１〜９のいずれか１に記載の重要回線の救済方法。
【００９１】
（付記１１）
冗長構成の機能ユニットがバス構成のパターン配線にマルチ接続された、回線接続機能を有する高密度実装装置であって、
各パターン配線の状態を監視し、異常を検知した場合に重要回線を優先的に接続するように正常なパターン配線を用いて前記バス構成を再構築する監視再構築手段
を含むことを特徴とする高密度実装装置。
【００９２】
（付記１２）
前記監視再構築手段が、接続元の機能ユニットから各パターン配線を介して接続先の機能ユニットに監視信号を送り、接続先の機能ユニットにて該監視信号を正常に受信できたか否かにより、各パターン配線の異常の有無を検知することを特徴とする付記１１に記載の高密度実装装置。
【００９３】
（付記１３）
前記監視再構築手段が、前記接続元の機能ユニット及び前記接続先の機能ユニットにおいて前記パターン配線の直近に設けられた夫々のバッファを前記監視信号が通過するようにして前記バッファの異常を含めて各パターン配線の異常の有無を検知することを特徴とする付記１２に記載の高密度実装装置。
【００９４】
（付記１４）
前記監視再構築手段が、接続元の機能ユニット及び接続先の機能ユニットにおいて前記パターン配線の直近に設けられた夫々のバッファの状態を監視し、異常を検知した場合には、前記再構築ステップにおいて異常なバッファを除外して前記バス構成を再構築することを特徴とする付記１１〜１３のいずれか１に記載の高密度実装装置。
【００９５】
（付記１５）
前記監視再構築手段が、予め登録された回線の重要度の情報と監視により得られた正常なパターン配線の情報に基づいて重要度のより高い回線をより優先的に接続するように前記機能ユニットにおける回線設定を変更することを特徴とする付記１１〜１４のいずれか１に記載の高密度実装装置。
【００９６】
（付記１６）
前記監視再構築手段が異常を検知した場合に前記機能ユニットの冗長構成をなす現用系と予備系との切り替えを行う前に、重要回線を優先的に接続するように正常なパターン配線を用いて前記バス構成を再構築できるか否かを判定し、再構成可能との判定結果が得られたときに前記バス構成の再構築を実行することを特徴とする付記１１〜１５のいずれか１に記載の高密度実装装置。
【００９７】
（付記１７）
前記監視再構築手段は、前記バス構成のパターン配線を予めグループ分けしておき、パターン配線又は該パターン配線の直近のバッファに異常を検出すると、前記バス構成の再構築において該パターン配線が属するグループ単位で前記バス構成から除外することを特徴とする付記１１〜１６のいずれか１に記載の高密度実装装置。
【００９８】
（付記１８）
前記機能ユニットとしてインタフェースユニット又はクロスコネクトユニットが用いられることを特徴とする付記１１〜１７のいずれか１に記載の高密度実装装置。
【００９９】
（付記１９）
第１のインタフェースユニット、第２のインタフェースユニット及びクロスコネクタユニットを前記機能ユニットとして備え、前記第１のインタフェースユニットと前記クロスコネクトユニット間、及び前記クロスコネクトユニットと前記第２のインタフェースユニット間がそれぞれ前記バス構成のパターン配線により接続されることを特徴とする付記１１〜１８のいずれか１に記載の高密度実装装置。
【０１００】
（付記２０）
各々が冗長構成を有する複数の機能ユニットのグループがバス構成のパターン配線にマルチ接続されており、前記監視再構築手段によりグループ内すべての回線が使用不可になることを回避することを特徴とする付記１１〜１９のいずれか１に記載の高密度実装装置。
【０１０１】
（付記２１）
冗長構成の機能ユニットがバス構成のパターン配線にマルチ接続された、回線接続機能を有する高密度実装装置において重要回線を救済するシステムとしてコンピュータを機能させるプログラムであって、
前記コンピュータに、
各パターン配線の状態を監視する監視機能と、
前記監視機能により異常を検知した場合に重要回線を優先的に接続するように正常なパターン配線を用いて前記バス構成を再構築させる再構築機能と、
を実現させることを特徴とするプログラム。
【０１０２】
（付記２２）
前記監視機能においては、接続元の機能ユニットから各パターン配線を介して接続先の機能ユニットに監視信号を送り、接続先の機能ユニットにて該監視信号を正常に受信できたか否かにより、各パターン配線の異常の有無を検知することを特徴とする付記２１に記載のプログラム。
【０１０３】
（付記２３）
前記監視機能においては、前記接続元の機能ユニット及び前記接続先の機能ユニットにおいて前記パターン配線の直近に設けられた夫々のバッファを前記監視信号が通過するようにして前記バッファの異常を含めて各パターン配線の異常の有無を検知することを特徴とする付記２２に記載のプログラム。
【０１０４】
（付記２４）
前記監視機能においては、接続元の機能ユニット及び接続先の機能ユニットにおいて前記パターン配線の直近に設けられた夫々のバッファの状態を監視し、異常を検知した場合には、前記再構築機能により異常なバッファを除外して前記バス構成を再構築することを特徴とする付記２１〜２３のいずれか１に記載のプログラム。
【０１０５】
（付記２５）
前記再構築機能においては、予め登録された回線の重要度の情報と前記監視ステップにより得られた正常なパターン配線の情報に基づいて重要度のより高い回線をより優先的に接続するように前記機能ユニットにおける回線設定を変更することを特徴とする付記２１〜２４のいずれか１に記載のプログラム。
【０１０６】
（付記２６）
前記監視機能により異常を検知した場合に前記機能ユニットの冗長構成をなす現用系と予備系との切り替えを行う前に、重要回線を優先的に接続するように正常なパターン配線を用いて前記バス構成を再構築できるか否かを判定し、再構成可能との判定結果が得られたときに前記再構築機能によるバス構成の再構成を実行することを特徴とする付記２１〜２５のいずれか１に記載のプログラム。
【０１０７】
（付記２７）
前記監視機能において前記バス構成のパターン配線を予めグループ分けしておき、パターン配線又は該パターン配線の直近のバッファに異常を検出すると、前記再構築機能において該パターン配線が属するグループ単位で前記バス構成から除外することを特徴とする付記２１〜２６のいずれか１に記載のプログラム。
【０１０８】
（付記２８）
前記機能ユニットとしてインタフェースユニット又はクロスコネクトユニットが用いられることを特徴とする付記２１〜２７のいずれか１に記載のプログラム。
【０１０９】
（付記２９）
前記高密度実装装置が第１のインタフェースユニット、第２のインタフェースユニット及びクロスコネクタユニットを前記機能ユニットとして備え、前記第１のインタフェースユニットと前記クロスコネクトユニット間、及び前記クロスコネクトユニットと前記第２のインタフェースユニット間がそれぞれ前記バス構成のパターン配線により接続されることを特徴とする付記２１〜２８のいずれか１に記載のプログラム。
【０１１０】
（付記３０）
前記高密度実装装置は、各々が冗長構成を有する複数の機能ユニットのグループがバス構成のパターン配線にマルチ接続されており、前記監視機能と前記再構築機能によりグループ内すべての回線が使用不可になることを回避することを特徴とする付記２１〜２９のいずれか１に記載のプログラム。
【産業上の利用可能性】
【０１１１】
本発明は、例えば、高密度実装を実現する伝送装置により重要回線を含む回線接続を行う際に装置内バス配線に障害が発生した時、重要回線を救済するのに利用できる。
【符号の説明】
【０１１２】
１００  システム
１１０  ＩＦ部（現用）
１２０  ＩＦ部（予備）
１３０  ＩＦ部（現用）
１４０  ＩＦ部（予備）
１５０  ＸＣ部（現用）
１６０  ＸＣ部（予備）
１７０  監視制御部（現用）
１８０  監視制御部（予備）
【図１】
2014241082.tif 000003
【図２】
2014241082.tif 000004
【図３】
2014241082.tif 000005
【図４】
2014241082.tif 000006
【図５】
2014241082.tif 000007
【図６】
2014241082.tif 000008
【図７】
2014241082.tif 000009
【図８】
2014241082.tif 000010